(57)【特許請求の範囲】
【請求項１】
赤ちゃんを育児するための育児領域と、前記育児領域を支持するための脚部と、前記脚部に対して前記育児領域を揺動させるための揺動手段と、床面からの前記育児領域の高さ位置を調節するための高さ位置調節手段と、を備える育児器具であって、
前記揺動手段は、前記育児領域の揺動を禁止するための揺動ロック手段を有し、
前記高さ位置調節手段は、前記育児領域の高さ位置を固定するための高さロック手段を有し、
前記揺動ロック手段と前記高さロック手段との間には、前記育児領域の揺動が許容状態にあるときは、前記高さロック手段の操作を不可能とし、前記揺動ロック手段により前記育児領域の揺動が禁止状態にあるときは、前記高さロック手段の操作を可能とする機構が設けられる、育児器具。
【請求項２】
前記揺動ロック手段は、前記揺動手段による育児領域の揺動を許容する第1の位置と、前記育児領域の揺動を禁止する第２の位置との間を移動可能に設けられ、
前記高さロック手段は、前記高さ位置調節手段による前記育児領域の高さ位置調節を可能とする第３の位置と、前記高さ位置調節手段による前記育児領域の高さ位置調節を禁止する第４の位置との間を移動可能に設けられ、
前記揺動ロック手段が第1の位置にあるときは、前記高さロック手段の第４の位置から第３の位置への移動を阻止し、前記揺動ロック手段が第２の位置にあるときは、前記高さロック手段の第４の位置から第３の位置への移動を許容する、請求項１に記載の育児器具。
【請求項３】
前記揺動ロック手段は、押しボタン形式の揺動ロックボタンを有し、
前記高さロック手段は、上端側に回動中心を有する高さロックレバーを有し、前記揺動ロックボタンは前記高さロックレバーの下方位置に配置され、前記育児領域の揺動の禁止状態を選択するために、前記揺動ロックボタンを押し込むことにより、前記高さロック手段のロック解除操作を可能とするために、前記高さロックレバーを上方に向けて回動させるための操作スペースが形成される、請求項２に記載の育児器具。
【発明の詳細な説明】
【０００１】
【発明の属する技術分野】
この発明は、新生児期、乳児期および幼児期における赤ちゃんの育児器具に関し、より特定的には、育児器具の昇降機構と揺動機構との構造に関する。
【０００２】
【従来の技術】
赤ちゃんの育児を行なうために、ベッド部や座部等の育児領域を備える育児器具には、育児領域を支持するための脚部が設けられる。また、赤ちゃんに心地好さを与えるため、脚部に対して育児領域を揺動可能とするための揺動機構や、床面に対する育児領域の高さを調節するための昇降機構等が設けられる。
【０００３】
【発明が解決しようとする課題】
ここで、揺動機構、昇降機構等は、いずれも育児器具には必要な機構であるが、操作の容易性、安全性の観点からは、昇降機構の操作時には揺動機構は機能しないほうが好ましい。
【０００４】
したがって、この発明の目的は、育児領域に対して揺動機構および昇降機構を備える育児器具において、揺動機構および昇降機構を安全に操作することが可能な育児器具を提供することにある。
【０００５】
【課題を解決するための手段】
上記目的を達成するため本発明に基いた育児器具においては、赤ちゃんを育児するための育児領域と、上記育児領域を支持するための脚部と、上記脚部に対して上記育児領域を揺動させるための揺動手段と、床面からの上記育児領域の高さ位置を調節するための高さ位置調節手段とを備える育児器具であって、上記揺動手段は、上記育児領域の揺動を禁止するための揺動ロック手段を有し、上記高さ位置調節手段は、上記育児領域の高さ位置を固定するための高さロック手段を有し、上記揺動ロック手段と上記高さロック手段との間には、上記育児領域の揺動が許容状態にあるときは、上記高さロック手段の操作を不可能とし、上記揺動ロック手段により上記育児領域の揺動が禁止状態にあるときは、上記高さロック手段の操作を可能とする機構が設けられる。
【０００６】
この機構を採用することにより、揺動ロック手段により育児領域の揺動が禁止状態にあるときにのみ、高さロック手段の操作を可能とすることにより、安全に育児領域の高さ位置を調節することを可能としている。一方、育児領域の揺動が許容状態にあるときは、高さロック手段の操作を不可能とすることで、不注意における操作を防止し、事故等を未然に防止することを可能とする。
【０００７】
上記機構の一例として、上記揺動ロック手段は、上記揺動手段による育児領域の揺動を許容する第1の位置と、上記育児領域の揺動を禁止する第２の位置との間を移動可能に設けられ、上記高さロック手段は、上記高さ位置調節手段による上記育児領域の高さ位置調節を可能とする第３の位置と、上記高さ位置調節手段による上記育児領域の高さ位置調節を禁止する第４の位置との間を移動可能に設けられ、上記揺動ロック手段が第1の位置にあるときは、上記高さロック手段の第４の位置から第３の位置への移動を阻止し、上記揺動ロック手段が第２の位置にあるときは、上記高さロック手段の第４の位置から第３の位置への移動を許容する。
【０００８】
また、より好ましい態様としては、上記揺動ロック手段は、押しボタン形式の揺動ロックボタンを有し、上記高さロック手段は、上端側に回動中心を有する高さロックレバーを有し、上記揺動ロックボタンは上記高さロックレバーの下方位置に配置され、上記育児領域の揺動の禁止状態を選択するために、上記揺動ロックボタンを押し込むことにより、上記高さロック手段のロック解除操作を可能とするために、上記高さロックレバーを上方に向けて回動させるための操作スペースが形成される。
【０００９】
これにより、高さロック手段のロック解除操作を可能とする操作スペースが形成される状態においては、育児領域の揺動の禁止状態を選択する状態が選択され、また、育児領域の揺動が可能な状態においては、操作スペースが形成されないため、高さロック手段のロック解除操作を行なうことはできない。
【００１０】
【発明の実施の形態】
以下、本発明に基づいた実施の形態における育児器具の構造について、図１から図７を参照して説明する。なお、以下の説明においては、育児器具の一例としてハイロー＆ベッドに適用した場合について説明する。なお、図１は、本実施の形態におけるハイロー＆ベッドの全体構造を示す全体斜視図であり、図２は、本実施の形態におけるハイロー＆ベッドに適用される揺動機構４００の構造を示す図であり、図３は、本実施の形態におけるハイロー＆ベッドに適用される昇降機構５００の構造を示す図であり、図４〜図７は、揺動機構４００および昇降機構５００による揺動および昇降の動作関連を示す図である。
【００１１】
（ハイロー＆ベッドの概略構造）
まず、図１を参照して、本実施の形態におけるハイロー＆ベッドの概略構造について説明する。このハイロー＆ベッドは、赤ちゃんを育児するための育児領域を構成するベッド部２００と、このベッド部２００を下方側から支持するための支持部材を構成する脚部１００とを有する。なお、図示においては、ベッド部２００はベッド状態のみを示しているが、背もたれ部を起こすことにより、座席状態にする機構を適用することも可能である。
【００１２】
次に、脚部１００の概略構成について説明する。なお、図１においては、脚部１００の構造が明確になるように、ベッド部２００については、一部２点鎖線で図示している。脚部１００は、所定の間隔を隔てて左右１対に設けられる、上方に凸となる湾曲形状を有する下部フレーム１，２と、この下部フレーム１，２から上方に延びるように設けられる支柱３，４と、左右に位置する下部フレーム１，２を横方向に連結する下部連結フレーム９，１０とを備える。支柱３，４には、ベッド部２００を支持し、ベッド部２００の床面からの高さ位置を調節するため、上下方向に移動可能な摺動支柱５，６が設けられ、昇降機構５００を構成する。また、ベッド部２００を前後方向に揺動させるための揺動機構４００も設けられている。この揺動機構４００および昇降機構５００の詳細については、後述する。
【００１３】
下部フレーム１，２の両端部には、転動体としてのキャスタ８がそれぞれ設けられている。また、支柱３，４の下端部近傍には、このハイロー＆ベッドの移動を阻止するためのストッパ機構３００Ａおよび３００Ｂが設けられている。
【００１４】
ベッド部２００は、赤ちゃんを下面側から支持する背面部２０１と、頭部を保護するヘッドガード２０２、上半身の側部を保護するアッパガード２０４、下半身領域を保護するロアーガード２０５とを備え、アッパガード２０４とロアーガード２０５との両側面の外側には、操作壁２０３がそれぞれ設けられている。この操作壁２０３のカバー２０３Ａには、ベッド部２００の昇降操作を可能にする高さロックレバー２１０と、高さロックレバー２１０の下方に配置され、ベッド部２００の揺動を禁止するための揺動ロックボタン２１３と、揺動ロックボタン２１３の解除ボタン２１５が設けられている。なお、この高さロックレバー２１０、揺動ロックボタン２１３、および、解除ボタン２１５の詳細については後述する。
【００１５】
（揺動機構４００の構成）
次に、図２を参照して、揺動機構４００の構成について説明する。この揺動機構４００は、操作壁２０３の内部に設けられ、図２は、カバー２０３Ａを取外した内部構造を示している。摺動支柱５，６のいずれにも同様の機構が設けられているが、ここでは、摺動支柱６に設けられる揺動機構４００の構造について説明する。
【００１６】
摺動支柱６の上端部には、リンクバー支持プレート４０１が固定されている。リンクバー支持プレート４０１は、摺動支柱６の両側の下方に張り出すウイングプレート４０１ａ，４０１ｂを有している。このウイングプレート４０１ａ，４０１ｂの下端部には、紙面垂直方向に延びるロックプレート４０２，４０３が設けられている。ロックプレート４０２，４０３の間には、所定の空間Ｓが形成されている。
【００１７】
また、ウイングプレート４０１ａには、逆ハット形状（凹形状）の第１リンクバー４０４の一端４０６が回転可能に軸支持されている。第１リンクバー４０４の他端は、摺動支柱５に同様に設けられるウイングプレートに、回転可能に軸支持される（図示省略）。第１リンクバー４０４の下辺部４０８は、揺動プレート２０３ａの下端に設けられた、スリット４１０ａ〜４１０ｅのいずれかに嵌められる(図においては、下辺部４０８はスリット４１０ａに嵌められている）。
【００１８】
同様に、ウイングプレート４０１ｂには、逆ハット形状（凹形状）の第２リンクバー４０５の一端４０７が回転可能に軸支持されている。第２リンクバー４０５の他端は、摺動支柱５に同様に設けられるウイングプレートに、回転可能に軸支持される（図示省略）。第２リンクバー４０５の下辺部４０９は、揺動プレート２０３ａの下端に設けられた、凹部４１１ａ，４１１ｂのいずれかに嵌められる(図においては、下辺部４０９は凹部４１１ａに嵌められている）。なお、操作壁２０３のカバー２０３Ａは、揺動プレート２０３ａに固定される。
【００１９】
揺動機構４００の動作については、第１リンクバー４０４および第２リンクバー４０５により揺動プレート２０３ａを含むベッド部２００が、下辺部４０８，４０９を支持支点にして保持されることにより、図中矢印に示す方向に（ベッド部２００の前後方向）に揺動可能となる。なお、揺動プレート２０３ａに対して、下辺部４０８，４０９の位置を適宜変更することにより、ベッド部２００の揺動形態を変更することができ、たとえば、第１リンクバー４０４と第２リンクバー４０５を平行に配置することで、ベッド部２００は水平状態を維持しながら揺動し、第１リンクバー４０４と第２リンクバー４０５をハの字状に配置することで、ベッド部２００が曲面を描くように揺動する。なお、摺動支柱６の中には、昇降機構５００を構成するロッド５０１が設けられているが、これについては、後述の昇降機構５００において説明する。
【００２０】
（昇降機構５００の構成）
次に、図３を参照して、昇降機構５００の構成について説明する。なお、図３（ａ）は、図２中のＩＩＩ線矢視に対応する断面図であり、図３（ｂ）は、支柱４および摺動支柱６を内側から見た図である。なお、反対側の支柱３および摺動支柱５に設けられる昇降機構も、同じ構造を有している。
【００２１】
まず、支柱４内に摺動支柱６は上下方向に摺動可能に収容され、摺動支柱６の上部領域は、支柱４から突出するように設けられている。摺動支柱６の下端部には、ベッド部２００の昇降動作を容易にするため、摺動支柱６を上方に向けて付勢するコイルバネ５２０が配置されている。
【００２２】
摺動支柱６の内部には、上方が摺動支柱６の上部から突出するロッド５０１がと、このロッド５０１の下端に取付けられる門型のガイド部材５０２と、このガイド部材５０２の内部に設けられるロックブロック５１０とが設けられている。また、ガイド部材５０２とロックブロック５１０との間には、ガイド部材５０２を上方に付勢するコイルバネ５１５が配置されている。
【００２３】
ロックブロック５１０の内面側には、高さ方向の異なる位置に、ロックピン５１３，５１４が設けられ、摺動支柱６には、このロックピン５１３，５１４を通過させるための孔６ａが設けられ、また、支柱４には、このロックピン５１３，５１４が係合することにより、ベッド部２００の昇降位置を適宜変更可能とするための、係合孔４ａが縦方向に複数設けられている。この係合孔４ａは、紙面左側に向かって傾斜する長孔が採用されているが、これは、摺動支柱６を長孔の傾斜下方側に付勢することにより、摺動支柱６の支柱４内での振れを防止するためである（がたつき防止）。
【００２４】
また、ロックブロック５１０のロックピン５１３，５１４が設けられる面に対して９０度回転した面には、紙面垂直方向に延びるガイドピン５１１，５１２が設けられ、ガイド部材５０２には、このガイドピン５１１，５１２を受け入れるガイド孔５０３，５０４が形成されている。このガイド孔５０３，５０４は、ロックピン５１３，５１４から遠ざかるにしたがって徐々に上方に向かって傾斜する長孔形状を有している。
【００２５】
ここで、操作壁２０３に設けられる高さロックレバー２１０、揺動ロックボタン２１３、および、解除ボタン２１５の構造、揺動機構４００のロックプレート４０３（４０２）およびロッド５０１に対する、高さロックレバー２１０、揺動ロックボタン２１３、および、解除ボタン２１５の配置関係について説明する。
【００２６】
揺動ロックボタン２１３は、ベッド部２００の揺動の禁止状態または許容状態を選択するためものであり、高さロックレバー２１０は、ベッド部２００の高さ位置調節の禁止状態または許容状態を選択するためものである。
【００２７】
揺動ロックボタン２１３は、押しボタン形式からなり、図３に示す第１の位置と、図４に示す第２の位置との間を移動可能に設けられている。揺動ロックボタン２１３が第１の位置に位置する場合には、ベッド部２００は揺動可能な状態にあり、揺動ロックボタン２１３が第２の位置に位置する場合には、揺動ロックボタン２１３の先端部に設けられる係合片２１４が、ロックプレート４０２，４０３の間に形成される空間Ｓに入り込むことにより、係合片２１４がロックプレート４０２，４０３に当接する状態となり、ベッド部２００の揺動が禁止される状態となる。なお、揺動ロックボタン２１３は、回転中心２１６を有し、この回転中心２１６の反対側には、解除ボタン２１５が設けられる。したがって、揺動ロックボタン２１３が第２の位置に位置する場合において、解除ボタン２１５を押し込むことにより、揺動ロックボタン２１３は第１の位置に復帰することになる。
【００２８】
次に、高さロックレバー２１０は、その上端側に回転中心２１２を有し、この回転中心２１２の反対側に、当接片２１１が設けられている。高さロックレバー２１０は、図３および図４に示す第３の位置と、図５に示す第４の位置との間を移動可能に設けられている。高さロックレバー２１０が第３の位置に位置する場合には、ベッド部２００の高さ調節が禁止される状態であり、高さロックレバー２１０が第４の位置に位置する場合には、ベッド部２００の高さ調節が許容される状態となる。
【００２９】
（揺動機構４００と昇降機構５００とのロック動作、およびロック解除動作）
次に、上記構成からなる揺動機構４００と昇降機構５００とのロック動作、およびロック解除動作について、図３から図６を参照して説明する。まず、図３に示す状態は、揺動ロックボタン２１３が第１の位置に位置し、ロックレバー２１０が第４の位置に位置する。この状態においては、ベッド部２００の揺動動作が許容され、高さ調節が禁止される。なお、ロックレバー２１０の下方に揺動ロックボタン２１３が設けられているため、揺動ロックボタン２１３が第１の位置に位置する場合、ロックレバー２１０を第４の位置から第３の位置へ移動させる操作はできない。
【００３０】
次に、図４を参照して、揺動ロックボタン２１３を、矢印Ｐ方向に移動させ、第１の位置から第２の位置へ移動させる。これにより、係合片２１４が、ロックプレート４０２，４０３の間に形成される空間Ｓに入り込み、ベッド部２００の揺動が禁止される状態が選択される。このとき、ロックレバー２１０の下方には、揺動ロックボタン２１３が移動した結果、操作空間Ａが形成されることになる。
【００３１】
次に、図５を参照して、操作空間Ａが形成されることにより、ロックレバー２１０の操作が可能となる。よって、ロックレバー２１０をＵ１方向に回転させ、第４の位置から第３の位置に移動させる。これにより、当接片２１１によりロッド５０１をＤ方向に押し下げることになる。その結果、ロックブロック５１０がＳ方向に移動し、ロックピン５１３，５１４が係合孔４ａから引抜かれ、ロックピン５１３，５１４によるロック状態が解除されることになる。
【００３２】
これにより、図６に示すように、支柱４に対して、摺動支柱６を上下方向に摺動させることが可能になり、ベッド部２００の昇降位置を適宜変更可能となる。その後、図７を参照して、ベッド部２００の昇降位置を選択した後、解除ボタン２１５をＢ３方向に押し込むことにより、揺動ロックボタン２１３が第２の位置から第１の位置に移動し（Ｂ４方向）、さらに、ロックレバー２１０を第３の位置から第４の位置へ移動させる（Ｂ２方向）。これにより、揺動が許容され、高さ調節が禁止される状態となる。
【００３３】
なお、ガイド部材５０２は常にコイルバネ５１５により上方（Ｂ１方向）に付勢されている結果、ロッド５０１も上方に付勢されていることになる。そのため、ロックレバー２１０の第３の位置へ移動させる力を解除すると、ロッド５０１によりロックレバー２１０は第３の位置から第４の位置へ移動させられることになる。
【００３４】
（作用効果）
以上、本実施の形態におけるハイロー＆ベッドによれば、揺動ロック手段によりベッド部２００の揺動が禁止状態にあるときにのみ、高さロック手段の操作を可能とすることにより、安全にベッド部２００の高さ位置を調節することを可能としている。一方、ベッド部２００の揺動が許容状態にあるときは、高さロック手段の操作を不可能とすることで、不注意における操作を防止し、事故等を未然に防止することを可能とする。
【００３５】
なお、今回開示された実施の形態はすべての点で例示であって制限的なものではない。本発明の範囲は上記した説明ではなくて特許請求の範囲によって画定され、特許請求の範囲と均等の意味および範囲内でのすべての変更が含まれることが意図される。
【００３６】
【発明の効果】
本発明に基づいた育児器具によれば、揺動機構および昇降機構を安全に操作することが可能となる。
【図面の簡単な説明】
【図１】  本実施の形態におけるハイロー＆ベッドの全体構造を示す全体斜視図である。
【図２】  本実施の形態におけるハイロー＆ベッドに適用される揺動機構４００の構造を示す図である。
【図３】  本実施の形態におけるハイロー＆ベッドに適用される昇降機構５００の構造を示す図である。
【図４】  揺動機構４００および昇降機構５００による揺動および昇降の動作関連を示す第１図である。
【図５】  揺動機構４００および昇降機構５００による揺動および昇降の動作関連を示す第２図である。
【図６】  揺動機構４００および昇降機構５００による揺動および昇降の動作関連を示す第３図である。
【図７】  揺動機構４００および昇降機構５００による揺動および昇降の動作関連を示す第４図である。
【符号の説明】
１，２  下部フレーム、３，４  支柱、４ａ  係合孔、５，６  摺動支柱、６ａ  孔、８  キャスタ、９，１０  下部連結フレーム、１００  脚部、２００  ベッド部、２０１  背面部、２０２  ヘッドガード、２０４  アッパガード、２０５  ロアーガード、２０３  操作壁、２０３Ａ  カバー、２１０  高さロックレバー、２１３  揺動ロックボタン、２１５  解除ボタン、３００Ａ，３００Ｂストッパ機構、４００  揺動機構、４０１  リンクバー支持プレート、４０１ａ，４０１ｂ  ウイングプレート、４０２，４０３  ロックプレート、４０４  第１リンクバー、４０６，４０７  一端、４０８，４０９  下辺部、２０３ａ  揺動プレート、４１０ａ〜４１０ｅ  スリット、４０５  第２リンクバー、４１１ａ，４１１ｂ  凹部、５００  昇降機構、５０１  ロッド、５０２  ガイド部材、５０３，５０４  ガイド孔、５１０  ロックブロック、５１１，５１２  ガイドピン、５１３，５１４  ロックピン、５１５，５２０  コイルバネ、Ｓ  空間。
【図１】
0003732787.tif 000002
【図２】
0003732787.tif 000003
【図３】
0003732787.tif 000004
【図４】
0003732787.tif 000005
【図５】
0003732787.tif 000006
【図６】
0003732787.tif 000007
【図７】
0003732787.tif 000008